(57)【要約】【課題】新たな識別図柄の表示態様を実現することが可能な遊技機を提供すること。【解決手段】表示装置３０と、表示装置３０に当否判定結果を示すための識別図柄５０、および背景画像５２を表示させる表示制御手段と、を備え、表示制御手段は、背景画像５２の一部を除去することで識別図柄５０を表す図柄特殊表示演出が実行可能である遊技機１とする。当該「除去」の態様としては、背景画像５２の一部を剥ぎ取るような態様や、背景画像５２の一部を破壊するような態様が例示できる。【選択図】図１２
2016067389.tif 000002
【特許請求の範囲】
【請求項１】
表示装置と、
前記表示装置に当否判定結果を示すための識別図柄、および背景画像を表示させる表示制御手段と、
を備え、
前記表示制御手段は、前記背景画像の一部を除去することで前記識別図柄を表す図柄特殊表示演出が実行可能であることを特徴とする遊技機。
【請求項２】
前記図柄特殊表示演出は、前記背景画像の一部を剥ぎ取るような態様を経て前記識別図柄を表すものであることを特徴とする請求項１に記載の遊技機。
【請求項３】
前記図柄特殊表示演出は、前記背景画像の一部を破壊するような態様を経て前記識別図柄を表すものであることを特徴とする請求項１に記載の遊技機。
【請求項４】
当否判定結果を示す識別図柄の組み合わせを表示する際に、前記図柄特殊表示演出が実行されることを特徴とする請求項１から請求項３のいずれか一項に記載の遊技機。
【発明の詳細な説明】
【技術分野】
【０００１】
本発明は、識別図柄の表示に特徴のある遊技機に関する。
【背景技術】
【０００２】
例えば、下記特許文献１（段落００６９）等に記載されるように、多くの遊技機では、当否判定結果を報知するための図柄（識別図柄等と称される）が、背景画像の手前側で変動するように表示される。
【先行技術文献】
【特許文献】
【０００３】
【特許文献１】特開２０１２−１２５２８２号公報
【発明の概要】
【発明が解決しようとする課題】
【０００４】
本発明が解決しようとする課題は、新たな識別図柄の表示態様を実現することが可能な遊技機を提供することである。
【課題を解決するための手段】
【０００５】
上記課題を解決するためになされた請求項１の発明にかかる遊技機は、表示装置と、前記表示装置に当否判定結果を示すための識別図柄、および背景画像を表示させる表示制御手段と、を備え、前記表示制御手段は、前記背景画像の一部を除去することで前記識別図柄を表す図柄特殊表示演出が実行可能であることを特徴とする。
【０００６】
請求項２に記載の発明は、請求項１に記載の遊技機において、前記図柄特殊表示演出は、前記背景画像の一部を剥ぎ取るような態様を経て前記識別図柄を表すものであることを特徴とする。
【０００７】
請求項３に記載の発明は、請求項１に記載の遊技機において、前記図柄特殊表示演出は、前記背景画像の一部を破壊するような態様を経て前記識別図柄を表すものであることを特徴とする。
【０００８】
請求項４に記載の発明は、請求項１から請求項３のいずれか一項に記載の遊技機において、当否判定結果を示す識別図柄の組み合わせを表示する際に、前記図柄特殊表示演出が実行されることを特徴とする。
【発明の効果】
【０００９】
請求項１に記載の発明にかかる遊技機は、背景画像の一部を除去することで識別図柄を表示することが可能である。つまり、従来の遊技機のように、背景画像の手前側に識別図柄が重ねられるような表示態様ではないため、遊技者の受ける印象が全く異なる新たな識別図柄の表示態様とすることが可能である。
【００１０】
背景画像の一部の除去態様としては、請求項２に記載の発明にかかる遊技機のように背景画像の一部を剥ぎ取るような態様や、請求項３に記載の発明にかかる遊技機のように背景画像の一部を破壊するような態様が例示できる。
【００１１】
請求項４に記載の発明にかかる遊技機のように、背景画像の一部を除去することによって識別図柄の組み合わせが表示されるようにすれば、最終的な組み合わせを示す際の期待感を向上させることが可能となる。
【図面の簡単な説明】
【００１２】
【図１】本発明の一実施形態にかかる遊技機の正面図である。
【図２】遊技機の裏側を示す図である。
【図３】遊技機の制御ブロック図である。
【図４】サブ制御基板が行うメイン処理（サブ制御メイン処理）のフローチャートである。
【図５】受信割り込み処理のフローチャートである。
【図６】２ｍｓタイマ割り込み処理のフローチャートである。
【図７】１０ｍｓタイマ割り込み処理のフローチャートである。
【図８】メインコマンド解析処理のフローチャートである。
【図９】表示態様選択処理のフローチャートである。
【図１０】図柄開始処理のフローチャートである
【図１１】図柄停止処理のフローチャートである。
【図１２】図柄特殊表示演出の第一具体例を説明するための模式図であって、複数の剥ぎ取られた箇所がひとまとまりとなって識別図柄を構成する例を示した図である。
【図１３】図柄特殊表示演出の第一具体例を説明するための模式図であって、一個所が剥ぎ取られることにより識別図柄を構成する例を示した図である。
【図１４】図柄特殊表示演出の第一具体例を説明するための模式図であって、複数の破壊された箇所がひとまとまりとなって識別図柄を構成する例を示した図である。
【図１５】図柄特殊表示演出の第一具体例を説明するための模式図であって、識別図柄を構成する全体が一度に破壊される例を示した図である。
【発明を実施するための形態】
【００１３】
以下、本発明にかかる実施形態について図面を参照して詳細に説明する。まず、遊技機１の全体構成について簡単に説明する。図１に示されるように、遊技機１は、所定の奥行きを有する額縁形状の機枠１０を備える。この機枠１０には前面枠１２が取り付けられている。前面枠１２は、その左側縁が機枠１０に回動自在に支持され、前側に開閉可能である。また、前面枠１２には、ガラス枠１４が取り付けられている。ガラス枠１４は、その左側縁が前面枠１２に回動自在に支持され、前側に開閉可能である。
【００１４】
ガラス枠１４の中央の開口部にはガラス板またはプラスチック板等の透明な板が設けられており、遊技者はこの透明な板を通して前側から遊技盤２６を視認できる。また、ガラス枠１４の下部には、払い出された遊技球を発射装置に送るまで貯めておく上皿ユニット１６が設けられている。上皿ユニット１６には、貯留されている遊技球を下皿ユニット２０に流下させる上皿スイッチや、貸し出し可能な貸し球を払い出す球貸しスイッチ等が設けられている。また、ガラス枠１４の上部左右両側には、スピーカ１８が設けられている。
【００１５】
前面枠１２の下部には、払い出された遊技球が上皿ユニット１６に入りきらない場合等に遊技球を貯めることができる下皿ユニット２０や、遊技球を発射操作するためのタッチスイッチを備える発射ハンドル２２等が設けられている。下皿ユニット２０の左側には、遊技者が押し下げ操作を行うことができる操作ボタン２４が設けられている。
【００１６】
遊技盤２６は、ほぼ正方形の合板により成形されており、前面枠１２に着脱可能に取り付けられている。この遊技盤２６には、発射装置から発射された遊技球をガイドする金属製の薄板からなる帯状のガイドレール２８が略円弧形状となるように設けられており、このガイドレール２８によって遊技領域の外郭の一部が形成されている。
【００１７】
遊技盤２６の遊技領域には、表示装置３０、始動入賞口３２、普通図柄変動開始用ゲート３３、大入賞口３４、アウト口３６などが設けられている。始動入賞口３２の両側には開閉部材３２ａ，３２ｂが設けられており、かかる開閉部材３２ａ，３２ｂが開放状態となると遊技球が始動入賞口３２に入賞しやすくなる。表示装置３０は、例えば液晶表示装置が用いられ、表示装置３０の表示画面（表示部）において当否判定結果を報知するための識別図柄５０（例えば数字の図柄）や普通図柄等が表示される。かかる表示装置３０の表示画面は、遊技盤２６に形成された開口を通じて視認可能である。
【００１８】
また、遊技盤２６の遊技領域には、流下する遊技球が衝突することにより遊技球の流下態様に変化を与える障害物としての遊技釘が複数設けられている。遊技領域を流下する遊技球は、遊技釘に衝突したときの条件に応じて様々な態様に変化する。
【００１９】
図２に示すように、遊技機１の背面側には、センターベースユニット３８に主制御基板４０、サブ制御基板４２、演出制御基板４４、サブドライブ基板４６等の各種制御基板や、発射装置、球タンク、レール等が設けられている。サブ制御基板４２は、どのような主制御基板４０が行った大当たり抽選結果等に基づき、どのような演出を行うか決定する基板である。演出制御基板４４は、サブ制御基板４２が決定した演出を表示装置３０やスピーカ１８を用いて実行する基板である（図３参照）。
【００２０】
このような遊技機１では、発射ハンドル２２の操作により、発射装置から遊技領域に遊技球を発射し、遊技領域を流下する遊技球が、始動入賞口３２や大入賞口３４等の入賞口に入賞すると、所定の数の賞球が払出装置により払い出される。
【００２１】
次に、遊技機１の制御処理について説明する。主制御基板４０は、主に大当たりの抽選を行う。大当たりの抽選は、遊技球が始動入賞口３２に入賞したときに実行する。その抽選方法は、公知の遊技機と同様の構成が適用できるため説明を省略する。本実施形態にかかる遊技機１は、最大四つの当否判定結果を記憶（保留）しておくことができるものである。保留された当否判定結果は、その前の当否判定結果が報知された後に報知される。主制御基板４０で実行された当否判定結果およびこの当否判定結果を報知する識別図柄５０の変動態様に関するコマンド（変動コマンド）や、始動入賞口３２に遊技球が入賞したことおよびそれを契機とした当否判定結果を示すコマンド（入賞コマンド）は、メインコマンドとしてサブ制御基板４２に送られる。
【００２２】
以下、サブ制御基板４２が行う制御処理について説明する。サブ制御基板４２が行うサブ制御メイン処理（Ｓ２００）では、図４に示すように、まずＣＰＵ初期化処理が行われる（Ｓ２０１）。詳しくは、スタックの設定、ＣＰＵの設定、ＳＩＯ、ＣＴＣの設定等が行われる。そして、電源断信号がＯＮで、かつ、サブ制御基板４２のＲＡＭの内容が正常であるか否かの処理が行われる（Ｓ２０２）。電源断信号がＯＮでない、または、ＲＡＭの内容が正常でない場合には、ＲＡＭの初期化を行う（Ｓ２０３）。その後、ウォッチドッグタイマカウンタ１（２ｍｓ用）ウォッチドッグタイマカウンタ２（１０ｍｓ用）の初期化を行う（Ｓ２０４）。ウォッチドッグタイマカウンタの初期化後、割り込みを禁止した上で（Ｓ２０５）、各種演出や各種図柄乱数等の更新処理を行う（乱数シード更新；Ｓ２０６）。更新処理後、割り込みを許可して（Ｓ２０７）ループ処理が行われる。このループ処理では、受信割り込み処理（Ｓ３００）、２ｍｓタイマ割り込み処理（Ｓ４００）、および１０ｍｓタイマ割り込み処理（Ｓ５００）が行われる。
【００２３】
図５に示す受信割り込み処理（Ｓ３００）は、主制御基板４０からのコマンド（制御信号）を受信するための処理である。受信割り込み処理（Ｓ３００）では、まず上記主制御基板４０からのストローブ（ＳＴＢ）信号がＯＮか確認され（Ｓ３０１）、ストローブ信号がＯＮ、すなわち外部ＩＮＴ入力部にストローブ信号が入力されると、上記主制御基板４０から出力されたコマンド（制御信号）の受信およびＲＡＭへの格納が行われる（Ｓ３０２）。ここで主制御基板４０から受信するコマンドには、各種大当たりに対応した演出を実行するための上記変動コマンド等が含まれる。一方、ストローブ信号がＯＮになっていなければ、その時点でこの受信割り込み処理（Ｓ３００）が終了する。
【００２４】
図６に示す２ｍｓタイマ割り込み処理（Ｓ４００）は、１０ｍｓタイマ割り込み処理より優先して行われる。入出力制御処理（Ｓ４０１）では、外部データ（ランプデータ、操作スイッチデータ等）の入出力制御を行う。入力データ処理（Ｓ４０２）では、操作スイッチや駆動物（役物）を駆動する駆動機構の原点センサの入力データ作成（２ｍｓ用）を行う。駆動処理（Ｓ４０３）では、駆動物を駆動するための制御データを作成して出力する。ウォッチドッグタイマカウンタ１初期化処理（Ｓ４０４）では、ウォッチドッグタイマ１を初期化する。
【００２５】
図７に示す１０ｍｓタイマ割り込み処理（Ｓ５００）では、まず、入力データ処理（Ｓ５０１）として操作スイッチや駆動物（役物）を駆動する駆動機構の原点センサの入力データ作成（１０ｍｓ用）を行う。その後、メインコマンド解析処理（Ｓ５０２）を行う（詳細は後述）。メインコマンド解析処理（Ｓ５０２）の後、ランプや駆動物（役物）等、演出関連の各種制御処理（Ｓ５０３）や、その他の処理（Ｓ５０４）を行って、１０ｍｓタイマ割り込み処理（Ｓ５００）を終了する。
【００２６】
図８に示すメインコマンド解析処理（Ｓ５０２）は、１０ｍｓタイマ割り込み処理で主制御基板４０から受信したコマンド（制御信号）を解析し、コマンドに対応した処理を行うものである。上述したように、サブ制御基板４２が主制御基板４０から受信するコマンドには、入賞コマンドや変動コマンドが含まれる。以下では、本実施形態にかかる遊技機１に搭載された一の演出である「図柄特殊表示演出」に関する処理のみについて説明する。サブ制御基板４２が実行するその他の演出の決定処理については、どのような構成であってもよいため説明を省略する。
【００２７】
メインコマンド解析処理では、まず主制御基板４０から受信したコマンドが入賞コマンドであるかどうかが判断される（Ｓ５０２−１）。受信したコマンドが入賞コマンドである場合（Ｓ５０２−１「Ｙｅｓ」）には、表示態様選択処理を実行する（Ｓ６００）。一方、主制御基板４０から受信したコマンドが入賞コマンドでない場合（Ｓ５０２−１「Ｎｏ」）には、受信したコマンドが変動コマンドであるかどうかが判断される（Ｓ５０２−２）。受信したコマンドが変動コマンドである場合（Ｓ５０２−２「Ｙｅｓ」）には、図柄変動開始処理（Ｓ７００）および図柄変動停止処理（Ｓ８００）を実行する。主制御基板４０から受信したコマンドが入賞コマンドでも変動コマンドでもない場合（Ｓ５０２−２「Ｎｏ」）には、当該コマンドに応じたその他の処理を実行する（Ｓ５０２−３）。
【００２８】
表示態様選択処理（Ｓ６００）、図柄変動開始処理（Ｓ７００）、および図柄変動停止処理（Ｓ８００）は、図柄特殊表示演出を実行するかどうかを決定するための処理である。ここで、本実施形態における図柄特殊表示演出の詳細について説明する。
【００２９】
通常の識別図柄の表示は、背景画像の手前側において識別図柄が変動（例えば上下方向にスクロール）するような態様である。これに対し図柄特殊表示演出においては、背景画像５２の一部を除去することで識別図柄５０を表す（このようにして識別図柄５０を表示する手段（表示装置３０を制御する手段）が本発明における表示制御手段に相当する）。「除去」の態様としては、以下に示すような具体例が例示できる。
【００３０】
図１２および図１３に示す第一具体例は、背景画像５２の一部を剥ぎ取るような態様を経て識別図柄５０を表すものである。例えば、識別図柄５０が数字である場合、背景画像５２における剥ぎ取られた部分が当該数字を表す。図示されるように、背景画像５２の一部を構成するシートを捲るような態様を表示して、背景画像５２の一部が剥ぎ取られていく様を表現するようにするとよい。図１２に示すように複数個所（複数のシート）が剥ぎ取られることにより、複数の剥ぎ取られた箇所がひとまとまりとなって識別図柄５０を構成するようにしてもよいし、図１３に示すように一個所（一のシート）が剥ぎ取られることにより、当該部分が識別図柄５０を構成するようにしてもよい。複数の剥ぎ取られた箇所によって識別図柄５０を構成する場合には、剥ぎ取られる順序が規則正しくなる（「書き順」に沿って剥ぎ取られていく）ようにしてもよいし、ランダムに剥ぎ取られていくようにしてもよい。また、その両方を採用してもよい。ランダムに剥ぎ取られていくような態様とすれば、剥ぎ取られていく途中において識別図柄５０の種類の判別がつきにくくなるため、遊技者の興味を惹く態様となる。
【００３１】
図１４および図１５に示す第二具体例は、背景画像５２の一部を破壊するような態様を経て識別図柄５０を表すものである。例えば、識別図柄５０が数字である場合、背景画像５２における破壊された部分が当該数字を表す。図１４に示すように背景画像５２の一部が局所的に破壊されていき、当該局所的に破壊された複数の箇所がひとかたまりとなって識別図柄５０を構成するようにしてもよいし、図１５に示すように識別図柄５０を構成する全体が一度に破壊されるような構成としてもよい。局所的に破壊された複数の箇所がひとかたまりとなって識別図柄５０を構成する場合には、破壊されていく順序が規則正しくなる（「書き順」に沿って破壊されていく）ようにしてもよいし、ランダムに破壊されていくようにしてもよい。また、その両方を採用してもよい。ランダムに破壊されていくような態様とすれば、破壊されていく途中において識別図柄５０の種類の判別がつきにくくなるため、遊技者の興味を惹く態様となる。
【００３２】
このような図柄特殊表示演出を実行するための制御処理が、表示態様選択処理（Ｓ６００）、図柄変動開始処理（Ｓ７００）、および図柄変動停止処理（Ｓ８００）である。なお、各処理を示すフローにおいて、ＯＮにした（セットした）フラグをＯＦＦにする処理は省略してある。
【００３３】
入賞コマンドを受信したとき、つまり、新たに当否判定が実行されたときに実行される図９に示す表示態様選択処理（Ｓ６００）では、まず図柄特殊表示演出を実行するかどうか（特殊表示を実行するかどうか）を抽選により決定する（Ｓ６０１）。演出を実行することが決定された場合（Ｓ６０１「Ｙｅｓ」）には、特殊図柄開始フラグおよび特殊図柄停止フラグをＯＮにし（Ｓ６０２、Ｓ６０３）、本処理を終了する。なお、図柄特殊表示演出を実行するための条件として、その他の条件が設定されていてもよい。例えば、いわゆるリーチが成立しているときに限り当該演出が実行されるような設定としてもよい。
【００３４】
変動コマンドを受信したときに実行する図１０に示す図柄変動開始処理（Ｓ７００）は、識別図柄５０が変動を開始する際の態様を設定するための処理である。上記表示態様選択処理において特殊図柄開始フラグがＯＮにされている場合（Ｓ７０１「Ｙｅｓ」）には、特殊図柄開始設定を実行する（Ｓ７０２）。つまり、識別図柄５０が変動を開始する際の態様が特殊なものとなる。一方、特殊図柄開始フラグがＯＮでない場合（Ｓ７０１「Ｎｏ」）には、通常の変動開始態様となる（Ｓ７０３）。なお、識別図柄５０の特殊な変動開始態様としては、種々の態様が考えられる。図柄特殊表示演出として上記第一具体例を適用した場合には、背景画像５２の少なくとも一部が剥ぎ取られそうな表示がなされる変動開始態様が考えられる。上記第二具体例を適用した場合には、背景画像５２の少なくとも一部が破壊しそうな表示がなされる変動開始態様が考えられる。
【００３５】
変動コマンドを受信したときに実行する図１１に示す図柄変動停止処理（Ｓ８００）は、識別図柄５０が変動を停止する際の態様を設定するための処理である。当該処理では、まず停止図柄情報を取得する（Ｓ８０１）。つまり、最終的に停止する識別図柄５０の組み合わせがどのようなものとなるかについての情報を得る。なお、いわゆる擬似連続予告等に本演出を使用する場合には、本ステップにおいて仮停止する識別図柄５０の組み合わせに関する情報を得る。また、上記図柄変動開始処理（Ｓ７００）において、識別図柄５０の変動開始態様が、停止または仮停止する識別図柄５０の組み合わせに依存するものである（停止または仮停止する識別図柄５０の組み合わせを踏まえて変動を開始させる必要がある）ときには、当該図柄変動開始処理においても停止または仮停止する識別図柄５０の組み合わせに関する情報を得る。
【００３６】
その後、上記表示態様選択処理において特殊図柄停止フラグがＯＮにされている場合（Ｓ８０２「Ｙｅｓ」）には、特殊図柄停止設定を実行する（Ｓ８０３）。つまり、識別図柄５０が変動を停止する際の態様が特殊なものとなる。上記第一具体例の場合には、背景画像５２の一部が剥ぎ取られることによって停止する識別図柄５０の組み合わせが表示される。上記第二具体例の場合には、背景画像５２の一部が破壊されることによって停止する識別図柄５０の組み合わせが表示される。一方、特殊図柄停止フラグがＯＮでない場合（Ｓ８０２「Ｎｏ」）には、通常の変動停止態様となる（Ｓ８０４）。
【００３７】
以上説明した本実施形態にかかる遊技機１は、背景画像５２の一部を除去することで識別図柄５０を表示することが可能である。つまり、従来の遊技機のように、背景画像５２の手前側に識別図柄５０が重ねられるような表示態様ではないため、遊技者の受ける印象が全く異なる新たな識別図柄５０の表示態様とすることが可能である。
【００３８】
背景画像５２の一部の除去態様としては、第一具体例のように背景画像５２の一部を剥ぎ取るような態様や、第二具体例のように背景画像５２の一部を破壊するような態様が例示できる。
【００３９】
また、本実施形態では、背景画像５２の一部を除去することによって識別図柄５０の組み合わせが表示される（停止または仮停止する識別図柄５０の組み合わせが表示される）。そのため、最終的な識別図柄５０の組み合わせを示す際の期待感を向上させることが可能となる。
【００４０】
以上、本発明の実施の形態について詳細に説明したが、本発明は上記実施の形態に何ら限定されるものではなく、本発明の要旨を逸脱しない範囲で種々の改変が可能である。
【００４１】
上記実施形態における各制御は、遊技機１内に設けられた基板によって実行されるものであれば、どのような基板によって実行されるものであってもよい。各制御が一の基板によって実行される構成としてもよいし、各制御が複数の基板によって実行される構成としてもよい。
【００４２】
上記実施形態における識別図柄５０は、数字の図柄であることを説明したが、これはあくまで一例である。文字の図柄であってもよいし、キャラクタの図柄であってもよい。数字や文字の図柄とキャラクタの図柄が組み合わされたものであってもよい。また、図柄特殊表示演出が実行されるときにおける図柄の態様が、それ以外のときにおける図柄の態様と異なっていてもよい。
【符号の説明】
【００４３】
１  遊技機
３０  表示装置
５０  識別図柄
５２  背景画像
【図１】
2016067389.tif 000003
【図２】
2016067389.tif 000004
【図３】
2016067389.tif 000005
【図４】
2016067389.tif 000006
【図５】
2016067389.tif 000007
【図６】
2016067389.tif 000008
【図７】
2016067389.tif 000009
【図８】
2016067389.tif 000010
【図９】
2016067389.tif 000011
【図１０】
2016067389.tif 000012
【図１１】
2016067389.tif 000013
【図１２】
2016067389.tif 000014
【図１３】
2016067389.tif 000015
【図１４】
2016067389.tif 000016
【図１５】
2016067389.tif 000017